(57)【要約】【課題】サイズ、厚みやカール状態の異なる用紙に対しても最適なレジストローラの逆転量で斜行補正を行い、用紙先端にキズをつけることのない信頼性の高い、安定した用紙搬送装置を提供する。【解決手段】画像形成装置に入力された用紙のサイズ、厚さ及び用紙の種類の用紙情報と片面印刷または両面印刷かの印刷モード情報を記憶するメモリ装置と、そのメモリ装置に記憶された用紙情報及び印刷モード情報に基づいてレジストローラ４の逆転動作を制御する駆動制御装置とを備えて、その駆動制御装置によりレジストローラ４の逆転量を調整することを特徴とした。【選択図】  図１
2008100833.tif 000002
【特許請求の範囲】
【請求項１】
トナー像担持体に印刷用紙を介して転写材を押し当て、その転写材の裏面にトナーと逆極性の電荷を転写器により付与することによって、前記被転写材を吸着搬送し、前記トナー像担持体上に形成したトナー像を転写搬送する転写装置の上流側に正逆回転可能なレジストローラを設置し、そのレジストローラに印刷用紙を当接させることで印刷用紙の斜行補正及び搬送を行う用紙搬送装置において、
画像形成装置に入力された用紙のサイズ、厚さ及び用紙の種類の用紙情報と片面印刷または両面印刷かの印刷モード情報を記憶するメモリ装置と、そのメモリ装置に記憶された用紙情報及び印刷モード情報に基づいて前記レジストローラの逆転動作を制御する駆動制御装置とを備えて、その駆動制御装置により前記レジストローラの逆転量を調整することを特徴とした用紙搬送装置。
【請求項２】
請求項1に記載の用紙搬送装置において、前記用紙情報及び印刷モード情報のデータを無効にできる入力装置を有し、その入力装置から前記レジストローラの駆動制御値を手動設定できるように構成されていることを特徴とした用紙搬送装置。
【請求項３】
印刷用紙を収納するカセットと、前記トナー像担持体上のトナー像を前記印刷用紙の所定の位置に転写できるようにするためのレジストレーション装置と、前記カセットから搬出した印刷用紙上にトナー像を形成する現像・転写装置と、前記印刷用紙に転写したトナー像を定着する定着装置とを備えた画像形成装置において、前記レジストレーション装置として請求項１または２に記載の用紙搬送装置を用いたことを特徴とする画像形成装置。
【発明の詳細な説明】
【技術分野】
【０００１】
本発明は、電子写真法を用いる複写機やレーザプリンタ等の画像形成装置に用いる用紙搬送装置に関するものである。
【背景技術】
【０００２】
電子写真法を用いるカット紙レーザプリンタや複写機等の画像形成装置では、用紙給紙装置から搬送された用紙は、用紙の位置、斜行補正を行う用紙搬送装置を介して搬送と転写の目的を兼ねた誘電体ベルトを用いる転写ベルト方式の転写装置に送られる。転写装置は、転写ベルト表面に電荷を誘起させて、この電荷で用紙を吸着搬送し、感光体上に形成された画像を用紙に転写する。
【０００３】
従来の用紙の位置、斜行補正を行う用紙搬送装置は転写装置前に配置された前記レジストローラに上流側に配置されたタイミングローラによって、用紙は送り込まれる。前記タイミングローラによって、用紙は前記レジストローラ方向に常時、搬送力を与えられる。そのとき、特開平５−１８６１０２号公報に記載されているように用紙が前記レジストローラを一定量通過後に、通過量より多く前記レジストローラを一定量逆転して戻し、用紙先端を前記レジストローラのニップから解放した後に、用紙の腰を利用して用紙先端が再度前記レジストローラに当接させることで、用紙先端を前記レジストローラに倣わせて斜行を補正する。
【０００４】
【特許文献１】特開平０５−１８６１０２号公報
【発明の開示】
【発明が解決しようとする課題】
【０００５】
この方式は用紙先端が前記レジストローラに到達した時の衝突がないため、用紙先端を前記レジストローラに当接させる時の用紙先端のダメージは発生しないという利点がある。しかしこの方式では、用紙のサイズや厚さに関係なく前記レジストローラの用紙通過量、逆転量が設定されているため、現在の印刷装置に求められている多種多様の用紙、サイズ、厚みや状態に対して対応できない。一般的に用紙のサイズ、厚みの大小によって用紙の剛性が異なるため、用紙搬送抵抗の違いにより前記レジストローラが逆転した時の用紙移動量に差が発生し、用紙先端が完全に前記レジストローラのニップから解放されない場合があり、斜行補正の効き具合が異なる。
【０００６】
また、近年、各省庁、企業では、上質紙に代わり、地球環境に配慮したリサイクル用紙が用いられているが、リサイクル用紙は、古紙パルプを使用しているため、裁断方向や吸湿による変形が上質紙に比べて大きい傾向にある。また、上質紙と比べると熱定着後の用紙のカール量も大きくなる傾向がある。
【０００７】
このため、用紙先端が前記レジストローラにかみ込まれる時の用紙先端のニップへの進入時間が遅れることで、前記レジストローラニップの用紙先端の通過量が規定値に対して少なくなることがある。この場合、前記レジストローラの逆転時に用紙先端が前記レジストローラのニップから解放された後の用紙先端と前記レジストローラ表面との摩擦距離が増加するため、用紙先端に思わぬキズなどの損傷を与える場合がある。また、両面印刷時には熱カールで用紙先端が変形するため、用紙先端の前記レジストローラのニップへの当接状態がばらつくために斜行補正の効き具合がばらつくことがある。
【０００８】
本発明の目的は、サイズ、厚みやカール状態の異なる用紙に対しても信頼性の高い用紙搬送装置を提供することにある。
【課題を解決するための手段】
【０００９】
上記目的を達成するために本発明の第１の手段は、トナー像担持体に印刷用紙を介して転写材を押し当て、その転写材の裏面にトナーと逆極性の電荷を転写器により付与することによって、前記被転写材を吸着搬送し、前記トナー像担持体上に形成したトナー像を転写搬送する転写装置の上流側に正逆回転可能なレジストローラを設置し、そのレジストローラに印刷用紙を当接させることで印刷用紙の斜行補正及び搬送を行う用紙搬送装置において、画像形成装置に入力された用紙のサイズ、厚さ及び用紙の種類の用紙情報と片面印刷または両面印刷かの印刷モード情報を記憶するメモリ装置と、そのメモリ装置に記憶された用紙情報及び印刷モード情報に基づいて前記レジストローラの逆転動作を制御する駆動制御装置とを備えて、その駆動制御装置により前記レジストローラの逆転量を調整することを特徴としたものである。
【００１０】
本発明の第２の手段は前記第１の手段において、前記用紙情報及び印刷モード情報のデータを無効にできる入力装置を有し、その入力装置から前記レジストローラの駆動制御値を手動設定できるように構成されていることを特徴としたものである。
【００１１】
本発明の第３の手段は、印刷用紙を収納するカセットと、前記トナー像担持体上のトナー像を前記印刷用紙の所定の位置に転写できるようにするためのレジストレーション装置と、前記カセットから搬出した印刷用紙上にトナー像を形成する現像・転写装置と、前記印刷用紙に転写したトナー像を定着する定着装置とを備えた画像形成装置において、前記レジストレーション装置として前記第１または第２の手段の用紙搬送装置を用いたことを特徴とするものである。
【発明の効果】
【００１２】
本発明によれば、サイズ、厚みやカール状態の異なる用紙に対しても最適なレジストローラの逆転量で斜行補正を行い、用紙先端にキズをつけることのない信頼性の高い、安定した用紙搬送を達成できる。
【発明を実施するための最良の形態】
【００１３】
本発明に係る用紙搬送装置は、停止したレジストローラに用紙を当接させた後に停止し、用紙のサイズ、厚み、用紙の種類、印刷モードなどの情報に応じて、前記レジストローラでの斜行補正時の逆転量を自動的に可変制御し、用紙に対して最適な斜行補正条件とすることで、信頼性の高い、安定した用紙搬送を達成できる。
【００１４】
また、画像形成装置の入力装置より、前記用紙及び印刷モード情報を無効にし、より最適な逆転量を手動にて入力可能な機能を設けることによって、さらに信頼性の高い、安定した用紙搬送を達成できる。
【００１５】
電子写真法を用いるカット紙レーザプリンタや複写機等の画像形成装置に適用した本発明の実施形態について図１を用いて以下説明する。
【００１６】
図示しない用紙給紙装置から搬送された用紙３は、タイミングローラ５とレジストローラ４によって位置、斜行補正をされて転写ベルト６上に搬送される。搬送された用紙３は感光ドラム１上のトナー２を転写し、図示しない定着装置に搬送される。
【００１７】
従来はレジストローラ４を用いた位置、斜行補正では用紙のサイズや厚さに関係なく、前記レジストローラ４の上流側に配置された図示しないセンサが用紙を検出した後、一定量用紙を送ることによって前記レジストローラ4を通過した用紙の量を固定し、また、逆転角も通過量に合わせて一定量が設定されている。
【００１８】
そのため用紙の種類、状態に最適な通過量、逆転角とならず、斜行補正が不十分であったり、用紙にダメージをつけてしまう場合があった。
【００１９】
これに対して本発明では、用紙のサイズ、厚み、用紙の種類、印刷モードなどの印刷装置の情報に応じて、停止しているレジストローラ４に用紙３が当接し、停止させた後に、前記レジストローラ４のニップに食込んだ用紙先端を解放するための前記レジストローラ４の逆転量を自動的に可変制御することによって用紙に対して最適な斜行補正条件を作り出し、用紙３の斜行補正を行う。
【００２０】
例えば、用紙のサイズ、厚み、カール状態に対しての最適な前記レジストローラの逆転量は、概略以下の通りであり、これらは画像形成装置に入力された用紙のサイズ、厚さ及び用紙の種類の用紙情報と片面印刷または両面印刷かの印刷モード情報を記憶するメモリ装置と、そのメモリ装置に記憶された用紙情報及び印刷モード情報に基づいて前記レジストローラの逆転動作を制御する駆動制御装置と、その駆動制御装置により駆動制御される前記レジストローラによって実行される。
【００２１】
幅が狭い用紙は搬送抵抗（用紙の腰による反力）が小さいため、レジストローラ逆転での斜行補正時の用紙移動量（レジストローラ表面との連られ回り量）は多くなり、レジストローラの逆転量は少なくても補正能力は十分である。一方、逆転量が多い場合、レジストローラのニップから解除された後のレジストローラ表面と用紙先端の擦れが多くなり、ダメージを与える可能性がある。
【００２２】
薄い用紙は搬送抵抗（用紙の腰による反力）が小さいため、レジストローラ逆転での斜行補正時の用紙移動量（レジストローラ表面との連られ回り量）は多くなり、レジストローラの逆転量は少なくても補正能力は十分である。一方、逆転量が多い場合、薄い用紙は剛性が低いためレジストローラの逆転量が多い場合、レジストローラのニップから解除された時に座屈が発生しやすく、ダメージを与える可能性がある。
【００２３】
幅が広い用紙は搬送抵抗（用紙の腰による反力）が大きいため、レジストローラ逆転での斜行補正時の用紙移動量（レジストローラ表面との連られ回り量）が少なくなり、用紙先端がレジストローラのニップから十分に解放されないため十分な斜行補正能力を得られない場合がある。そのため、レジストローラの逆転量を多くすることによって用紙移動量を大きくし、補正能力を高める。
【００２４】
厚い用紙は搬送抵抗（用紙の腰による反力）が大きいため、レジストローラ逆転での斜行補正時の用紙移動量（レジストローラ表面との連られ回り量）が少なくなり、レジストローラの逆転量を大きくすることによって用紙移動量を大きくし、補正能力を高める。
【００２５】
両面印刷時の熱カール等でカールが大きい用紙に対しては、レジストローラと用紙先端の当接が不安定となる。この場合、レジストローラの表面に用紙先端が引っ掛る状態が発生するため、レジストローラの逆転により、用紙が斜行したり、用紙にダメージを与えたりすることがあるため、逆転量を少なくすることによって斜行補正能力は改善できる。
【００２６】
用紙はその種類や保管状態等で変形や剛性は千差万別であるため、前記の条件であらかじめ設定したレジストローラ４の逆転仕様でも斜行補正条件が最適とならない場合がある。そこで本発明では、図示しない画像形成システムの操作パネルより入力情報を無効にして逆転角を個別に設定可能とする機能を設け、より最適値に可変可能とする。
【００２７】
図２は、レジストローラ４で斜行補正した用紙３の様子を示す上面図であって、点線は斜行補正する前の状態、実線は斜行補正した後の状態を示している。
【図面の簡単な説明】
【００２８】
【図１】本発明の実施形態に係る画像形成装置の概略構成図である。
【図２】レジストローラで斜行補正された用紙の上面図である。
【符号の説明】
【００２９】
１は感光体ドラム、２はトナー、３は用紙、４はレジストローラ、５はタイミングローラ、６は転写ベルトである。
【図１】
2008100833.tif 000003
【図２】
2008100833.tif 000004